(57)【要約】【課題】実装面積が増加せずコスト的に有利なタッチパネルの振動とバイブレータの振動を実現する。【解決手段】タッチパネル２を操作する際に、構造物５をタッチパネル２又は振動素子３に接触させない状態で振動素子３を振動させることにより、振動素子３の振動をタッチパネル２の面のみに伝え、携帯電話機を操作していない状態で、着信時に構造物５をタッチパネル２又は振動素子３に接触させた状態で振動素子３を振動させることにより、筐体１全体を振動させる。【選択図】図１
2008017327.tif 000002
【特許請求の範囲】
【請求項１】
第１の筐体に取り付けられた第１の構造物と、
第２の筐体に取り付けられた第２の構造物と、
上記第１の筐体に振動を吸収する吸収体を介して取り付けられたタッチパネルと、
該タッチパネルに接触している振動素子とを備え、
上記第１及び第２の筐体を閉じた状態で、上記第１及び第２の構造物により上記振動素子及び上記タッチパネルを挟み込み、
上記第１及び第２の筐体を開いた状態で、上記第１及び第２の構造物による上記振動素子及び上記タッチパネルの挟み込みを開放させることを特徴とする携帯電話機。
【請求項２】
第１及び第２の筐体の開閉を検出する開閉検出部と、
振動素子を振動させる振動素子駆動回路と、
該振動素子駆動回路を制御する制御部とを備え、
上記開閉検出部により上記第１及び第２の筐体が開いていることを検出した場合に、上記制御部はタッチパネルからの操作信号に基づき上記振動素子駆動回路に第１の振動レベルで上記振動素子を振動させ、
上記開閉検出部により上記第１及び第２の筐体が閉じていることを検出した場合に、上記制御部は着信の際に上記振動素子駆動回路に上記第１の振動レベルよりも強い第２の振動レベルで上記振動素子を振動させることを特徴とする請求項１記載の携帯電話機。
【請求項３】
上記開閉検出部により上記第１及び第２の筐体が開いていることを検出した場合に、上記制御部は着信の際に上記振動素子駆動回路に上記第１の振動レベルよりも強い第３の振動レベルで上記振動素子を振動させることを特徴とする請求項２記載の携帯電話機。
【発明の詳細な説明】
【技術分野】
【０００１】
この発明はタッチパネルを搭載する携帯電話機に関するものである。
【背景技術】
【０００２】
従来型のタッチパネルを搭載する携帯電話機として、特許文献１に記載されたものがある。この携帯電話機は単にタッチパネルを搭載したものである。一般にタッチパネルの操作は、ユーザが指でタッチパネル面を押圧することでタッチパネルがその押圧を認識して操作されるものであるが、タッチパネルが押圧を認識する感度及びユーザがタッチパネルを操作した感触によって、操作したつもりでもタッチパネルが押圧操作を認識しないことがある。
【０００３】
このため、ユーザが確実にタッチパネルを操作したことを認識できるように、タッチパネルが押圧を検知すると、タッチパネル面を振動させてユーザに報知するようにしたものが開発されている。但し、この振動は筐体をも含めて携帯電話機全体を振動させると操作性が悪くなるために、タッチパネルのみを振動させるようにしている。一方、携帯電話機においては、マナーモード（バイブレータモード）時に、筐体全体を振動させて着信を報知する機能を有している。
【０００４】
タッチパネルのパネル面のみを振動させてタッチパネルの操作の成否をユーザに伝える機能と、筐体全体を振動させるバイブレータ機能を同時に実現する場合に、クッションで保持されたタッチパネルにパネル振動専用の振動素子を実装し、筐体側には筐体振動専用の振動素子を実装する必要がある。
【０００５】
【特許文献１】特開２００１−４５１２４号公報（段落００３５）
【発明の開示】
【発明が解決しようとする課題】
【０００６】
従来の携帯電話機は以上のように構成されているので、タッチパネルの振動とバイブレータの振動に対してそれぞれ個別の振動素子が必要であり、実装面積が増加しコストが高くなるという課題があった。
【０００７】
この発明は上記のような課題を解決するためになされたもので、実装面積が増加せずコスト的に有利なタッチパネルの振動とバイブレータの振動を実現することができる携帯電話機を得ることを目的とする。
【課題を解決するための手段】
【０００８】
この発明に係る携帯電話機は、第１の筐体に取り付けられた第１の構造物と、第２の筐体に取り付けられた第２の構造物と、上記第１の筐体に振動を吸収する吸収体を介して取り付けられたタッチパネルと、該タッチパネルに接触している振動素子とを備え、上記第１及び第２の筐体を閉じた状態で、上記第１及び第２の構造物により上記振動素子及び上記タッチパネルを挟み込み、上記第１及び第２の筐体を開いた状態で、上記第１及び第２の構造物による上記振動素子及び上記タッチパネルの挟み込みを開放させるものである。
【発明の効果】
【０００９】
この発明により、実装面積が増加せずコスト的に有利なタッチパネルの振動とバイブレータの振動を実現することができるという効果が得られる。
【発明を実施するための最良の形態】
【００１０】
実施の形態１．
図１はこの発明の実施の形態１による携帯電話機の構造図を示す。この携帯電話機は、筐体１、タッチパネル２、振動素子３を保持し筐体１へ伝達される振動を吸収するクッション（吸収体）４、振動を伝える材質で構成された構造物５及び振動素子３を駆動する振動素子駆動回路６を備えている。なお、この携帯電話機は二つ折り式又はスライド式の構造を有しているものとする。
【００１１】
操作者が、タッチパネル２を操作する際に、構造物５をタッチパネル２又は振動素子３に接触させない状態で振動素子３を振動させることにより、振動素子３の振動をタッチパネル２の面のみに伝えることができる。このことにより、操作者はタッチパネル２に触れている指でのみ振動を感じることができる。
【００１２】
また、操作者が携帯電話機を操作していない状態で、筐体１を振動させて操作者に認知させる場合において、構造物５をタッチパネル２又は振動素子３に接触させた状態で振動素子３を振動させることにより、筐体１全体を振動させることができる。このため、操作者は筐体１全体から振動を感じ取ることができる。
【００１３】
これによって、タッチパネル２への操作を報知する機能を実現する振動素子と着信を報知する機能を実現する振動素子とを単一の振動素子３で実現できる。
【００１４】
図２はこの発明の実施の形態１による携帯電話機のブロック構成図を示す。この携帯電話機は、ブロック構成として、タッチパネル２、振動素子３、振動素子駆動回路６、電源部１１、開閉検出部１２、送受信部１３、マイクロホン１４、スピーカー１５、制御部１６、キー表示部（キーＬＣＤ：Ｌｉｑｕｉｄ  Ｃｒｙｓｔａｌ  Ｄｉｓｐｌａｙ）１７及びメイン表示部（メインＬＣＤ）１８を備えている。
【００１５】
図２において、電源部１１は制御部１６を含む装置全体へ電力を供給し、開閉検出部１２は機械スイッチ、近接スイッチ（磁気スイッチ）等により携帯電話機の二つ折り式又はスライド式の筐体１の開閉を検出する。送受信部１３は図示しないアンテナに接続されており、アンテナを介して受信した受信信号をダウンコンバートして制御部１６へ出力し、制御部１６から出力された送信信号をアップコンバートしてアンテナを介して送信する。マイクロホン１４は操作者の音声信号を音声―電気変換して制御部１６へ出力し、スピーカー（レシーバ）１５は制御部１６から出力される音声信号を電気―音声変換する。
【００１６】
制御部１６は各部の制御を司るものであり、マイクロホン１４から出力される音声信号を変調して送受信部１３へ出力し、送受信部１３が受信した音声信号を復調してスピーカー１５へ出力し、開閉検出部１２が検出する開閉信号に基づき振動素子駆動回路６に供給する電圧を制御し、タッチパネル２から入力する操作信号に基づき各種機能を実行処理する。
【００１７】
振動素子駆動回路６は制御部１６の指示に基づき振動素子３を制御し、振動素子３は、タッチパネル２に接触しており、タッチパネル２に振動を直接伝えることができるので、振動素子駆動回路６の制御によりタッチパネル２を振動させることができる。タッチパネル２は操作者が押圧操作する操作信号を制御部１６へ伝達し、キー表示部１７はタッチパネル２上に操作用の釦等を表示し、メイン表示部１８は制御部１６の指示に基づき文字・画像を表示する。
【００１８】
制御部１６は、開閉検出部１２により検出された筐体１の開閉状態に基づき、振動素子駆動回路６に供給する電圧を制御し、筐体１が開いた状態では、操作者が押圧操作した場合のタッチパネル２の面のみ振動させるために供給する電圧を小さくし、筐体１が閉じた状態では、送受信部１３が着信を受けた場合に筐体１全体を振動させるために供給する電圧を大きくする。
【００１９】
すなわち、制御部１６は、開閉検出部１２により筐体１が開いていることを検出した場合に、タッチパネル２からの操作信号に基づき振動素子駆動回路６に第１の振動レベルで振動素子３を振動させ、開閉検出部１２が筐体１が閉じていることを検出した場合に、着信の際に振動素子駆動回路６に第１の振動レベルよりも強い第２の振動レベルで振動素子３を振動させることにより、筐体１が開いているときはタッチパネル２にのみに小さな振動を伝え、筐体１が閉じている状態で着信したときには筐体１全体に大きな振動を伝えるようにすることができる。
【００２０】
また、制御部１６は、開閉検出部１２により筐体１が開いていることを検出した場合に、着信の際に振動素子駆動回路６に第１の振動レベルよりも強い第３の振動レベルで振動素子３を振動させることにより、筐体１が開いている状態で着信したときにはタッチパネル２のみに大きな振動を伝えるようにすることができる。
【００２１】
次に二つ折り式携帯電話機の構造について詳細に説明する。
図３は二つ折り式携帯電話機の概観図を示し、図４は二つ折り式携帯電話機の筐体１が開いた状態の構造図を示し、図５は二つ折り式携帯電話機の筐体１が閉じた状態の構造図を示している。
【００２２】
二つ折り式携帯電話機では、ヒンジ２１により筐体１を構成するタッチパネル側筐体（第１の筐体）１ａとメイン表示部側筐体（第２の筐体）１ｂが接続されて筐体１が開閉できるようになっており、図３に示すように、メイン表示部側筐体１ｂに、メイン表示部１８、メイン表示部側構造物（第２の構造物）５ｂを備え、タッチパネル側筐体１ａにタッチパネル２、キー２２、筐体１を閉じるときにメイン表示部側構造物５ｂが挿入される孔２３を備えている。
【００２３】
また、図４に示すように、タッチパネル側筐体１ａにタッチパネル２、キー表示部１７、クッション４、振動素子３、タッチパネル側構造物（第１の構造物）５ａを備えている。
【００２４】
筐体１を開いた状態では、図４に示すように、タッチパネル２はクッション４によって保持されており、振動素子３はタッチパネル２の面のみに接触しており、タッチパネル側構造物５ａやタッチパネル側筐体１ａや、その他の構造物には接触していない。この構造により、筐体１が開いた状態では、振動素子３の振動はタッチパネル２の面のみに伝わり、筐体１には伝わらないために、タッチパネル２の操作時のクリック感を発生させるフォースリアクタとして使用できる。
【００２５】
また、筐体１を閉じた状態では、図５に示すように、メイン表示部側構造物５ｂが孔２３を貫通しタッチパネル２の面に接触し押し込むことにより、振動素子３がタッチパネル側構造物５ａに接触し、タッチパネル２及び振動素子３がメイン表示部側構造物５ｂとタッチパネル構造物５ａに挟み込まれて筐体１に固定される。この構造により、筐体１を閉じた状態では、振動素子３の振動は筐体１全体に伝わり、着信報知用のバイブレータとして使用することができる。
【００２６】
次にスライド式携帯電話機の構造について詳細に説明する。
図６はスライド式携帯電話機の概観図を示し、図７はスライド式携帯電話機の筐体１が開いた状態の構造図を示し、図８はスライド式携帯電話機の筐体１が閉じた状態の構造図を示している。
【００２７】
スライド式携帯電話機では、図６に示すように、スライド用レール２４により筐体１を構成するタッチパネル側筐体（第１の筐体）１ａとメイン表示部側筐体（第２の筐体）１ｂがスライドできるようになっており、メイン表示部側筐体１ｂに、メイン表示部１８、メイン表示部側構造物（第２の構造物）５ｂ、キー２２を備え、タッチパネル側筐体１ａにタッチパネル２を備えている。
【００２８】
また、図７に示すように、タッチパネル側筐体１ａにタッチパネル２、キー表示部１７、クッション４、振動素子３、タッチパネル側構造物（第１の構造物）５ａを備えている。
【００２９】
筐体１を開いた状態では、図７に示すように、タッチパネル２はクッション４によって保持されており、振動素子３はタッチパネル２の面にのみに接触しており、タッチパネル側構造物５ａやタッチパネル側筐体１ａや、その他の構造物には接触していない。この構造により、筐体１が開いた状態では、振動素子３の振動はタッチパネル２の面にのみに伝わり、筐体１には伝わらないために、タッチパネル２の操作時のクリック感を発生させるフォースリアクタとして使用できる。
【００３０】
また、筐体１を閉じた状態では、図８に示すように、メイン表示部側構造物５ｂが振動素子３に接触し、タッチパネル２の面に接触し押し込むことにより、タッチパネル２がタッチパネル側構造物５ａに接触し、タッチパネル２及び振動素子３がメイン表示部側構造物５ｂとタッチパネル構造物５ａに挟み込まれて筐体１に固定される。この構造により、筐体１を閉じた状態では、振動素子３の振動は筐体１全体に伝わり、着信報知用のバイブレータとして使用することができる。
【００３１】
以上のように、この実施の形態１によれば、タッチパネル側筐体１ａに取り付けられたタッチパネル側構造物５ａと、メイン表示部側筐体１ｂに取り付けられたメイン表示部側構造物５ｂと、タッチパネル側筐体１ａに振動を吸収するクッション４を介して取り付けられたタッチパネル２と、タッチパネル２に接触している振動素子３とを備え、タッチパネル側筐体１ａ及びメイン表示部側筐体１ｂを閉じた状態で、タッチパネル側構造物５ａ及びメイン表示部側構造物５ｂにより振動素子３及びタッチパネル２を挟み込み、タッチパネル側筐体１ａ及びメイン表示部側筐体１ｂを開いた状態で、タッチパネル側構造物５ａ及びメイン表示部側構造物５ｂによる振動素子３及びタッチパネル２の挟み込みを開放させることにより、タッチパネル振動用の振動素子とバイブレータ用の振動素子を兼用することができ、実装面積が増加せずコスト的に有利なタッチパネル２の振動とバイブレータの振動を実現することができるという効果が得られる。
【００３２】
また、この実施の形態１によれば、タッチパネル側筐体１ａ及びメイン表示部側筐体１ｂの開閉を検出する開閉検出部１２と、振動素子３を振動させる振動素子駆動回路６と、振動素子駆動回路６を制御する制御部１６とを備え、開閉検出部１２によりタッチパネル側筐体１ａ及びメイン表示部側筐体１ｂが開いていることを検出した場合に、制御部１６はタッチパネル２からの操作信号に基づき振動素子駆動回路６に第１の振動レベルで振動素子３を振動させ、開閉検出部１２によりタッチパネル側筐体１ａ及びメイン表示部側筐体１ｂが閉じていることを検出した場合に、制御部１６は着信の際に振動素子駆動回路６に第１の振動レベルよりも強い第２の振動レベルで振動素子３を振動させることにより、タッチパネル側筐体１ａ及びメイン表示部側筐体１ｂが開いているときはタッチパネル２にのみに小さな振動を伝え、タッチパネル側筐体１ａ及びメイン表示部側筐体１ｂが閉じている状態で着信したときには筐体１全体に大きな振動を伝えるようにすることができるという効果が得られる。
【００３３】
さらに、この実施の形態１によれば、開閉検出部１２によりタッチパネル側筐体１ａ及びメイン表示部側筐体１ｂが開いていることを検出した場合に、制御部１６は着信の際に振動素子駆動回路６に第１の振動レベルよりも強い第３の振動レベルで振動素子３を振動させることにより、タッチパネル側筐体１ａ及びメイン表示部側筐体１ｂが開いている状態で着信したときにはタッチパネル２のみに大きな振動を伝えるようにすることができるという効果が得られる。
【図面の簡単な説明】
【００３４】
【図１】この発明の実施の形態１による携帯電話機の構造図を示す。
【図２】この発明の実施の形態１による携帯電話機のブロック構成図を示す。
【図３】この発明の実施の形態１による二つ折り式携帯電話機の概観図を示す。
【図４】この発明の実施の形態１による二つ折り式携帯電話機の筐体が開いた状態の構造図を示す。
【図５】この発明の実施の形態１による二つ折り式携帯電話機の筐体が閉じた状態の構造図を示す。
【図６】この発明の実施の形態１によるスライド式携帯電話機の概観図を示す。
【図７】この発明の実施の形態１によるスライド式携帯電話機の筐体が開いた状態の構造図を示す。
【図８】この発明の実施の形態１によるスライド式携帯電話機の筐体が閉じた状態の構造図を示す。
【符号の説明】
【００３５】
１  筐体、１ａ  タッチパネル側筐体、１ｂ  メイン表示部側筐体、２  タッチパネル、３  振動素子、４  クッション、５  構造物、５ａ  タッチパネル側構造物、５ｂ  メイン表示部側構造物、６  振動素子駆動回路、１１  電源部、１２  開閉検出部、１３  送受信部、１４  マイクロホン、１５  スピーカー、１６  制御部、１７  キー表示部、１８  メイン表示部、２１  ヒンジ、２２  キー、２３  孔、２４  スライド用レール。
【図１】
2008017327.tif 000003
【図２】
2008017327.tif 000004
【図３】
2008017327.tif 000005
【図４】
2008017327.tif 000006
【図５】
2008017327.tif 000007
【図６】
2008017327.tif 000008
【図７】
2008017327.tif 000009
【図８】
2008017327.tif 000010